(57)【要約】【課題】各装置を制御する操作部まで移動して操作するわずらわしさを解消する検体処理システムを提供する。【解決手段】検体前処理装置１０，２０を制御する前処理装置用操作部１１，２１と検体分析装置である生化学分析装置３０，４０，５０、免疫分析装置６０を制御する分析装置用操作部３１，４１，５１，６１とは相互に通信可能にネットワークを介して接続され、いずれかの前処理装置用入力部または分析装置用入力部から入力を受け付けた情報を任意の前処理装置用操作部１１，２１または分析装置用操作部３１，４１，５１，６１へネットワークを介して送信する。【選択図】図１
2014228403.tif 000002
【特許請求の範囲】
【請求項１】
検体の前処理をする検体前処理装置と、前記検体前処理装置にて前処理がされた前記検体を分析する検体分析装置と、前記検体前処理装置を制御する前処理装置用操作部と、前記検体分析装置を制御する分析装置用操作部と、を有する検体処理システムであって、
前記前処理装置用操作部と前記分析装置用操作部とは、相互に通信可能にネットワークを介して接続され、
前記前処理装置用操作部および前記分析装置用操作部は、前記検体前処理装置を制御するための情報の入力を受け付ける前処理装置用入力部または前記検体分析装置を制御するための情報の入力を受け付ける分析装置用入力部のいずれかの入力部から前記情報の入力を受け付け、入力を受け付けた前記情報を、任意の前処理装置用操作部または分析装置用操作部へ前記ネットワークを介して送信する、検体処理システム。
【請求項２】
請求項１に記載の検体処理システムにおいて、
前記検体前処理装置または前記検体分析装置に異常が発生した場合、
前記前処理装置用操作部および前記分析装置用操作部は、発生した異常の内容を示すアラーム情報を表示する、検体処理システム。
【請求項３】
請求項１または２に記載の検体処理システムにおいて、
前記前処理装置用操作部および前記分析装置用操作部は、前記検体前処理装置において使用する消耗品の消耗の度合いを示す画像を表示する、検体処理システム。
【請求項４】
請求項１〜３のいずれか一項に記載の検体処理システムにおいて、
前記前処理装置用操作部および前記分析装置用操作部は、前記検体分析装置における再検処理の状況と検体の処理の状況とを表示する、検体処理システム。
【請求項５】
請求項１〜４のいずれか一項に記載の検体処理システムにおいて、
前記前処理装置用操作部および前記分析装置用操作部は、任意の前記検体前処理装置および前記検体分析装置が行う処理を開始し、前記検体前処理装置および前記検体分析装置が行う前記処理を停止する機能を有する、検体処理システム。
【請求項６】
請求項１〜５のいずれか一項に記載の検体処理システムにおいて、
前記前処理装置用操作部および前記分析装置用操作部は、任意の前記検体前処理装置および前記検体分析装置の電源を立ち上げ、前記検体前処理装置および前記検体分析装置の前記電源をシャットダウンする機能を有する、検体処理システム。
【請求項７】
請求項１〜６のいずれか一項に記載の検体処理システムにおいて、
前記検体前処理装置を制御する複数の前記前処理装置用操作部同士が相互に通信可能にネットワークを介して接続され、前記検体分析装置を制御する複数の前記分析装置用操作部同士が相互に通信可能にネットワークを介して接続される、検体処理システム。
【発明の詳細な説明】
【技術分野】
【０００１】
本発明は、検体処理システムに関する。
【背景技術】
【０００２】
検体（たとえば、血液、尿など）の分析を自動で行うための検体処理システムは、採取した血液や尿などを遠心分離、分注、ラベリングなどを行う検体前処理とこの検体前処理がされた検体を分析する分析処理とを行う。また、これらの検体前処理および分析処理は多種のものがあるため、検体処理システムは、それぞれの処理を別々の装置で行うために、検体が入った検体容器を、検体搬送ラインを介して装置間で搬送する。
【０００３】
特開２００９−１２３１７８号公報（特許文献１）には、「ネットワーク上の複数のコンピュータにおいて、一つの構成制御サーバと、その構成制御サーバから構成制御情報を受け取って自らが稼動するコンピュータ上にその情報に基づく処理を実行する複数の構成制御クライアントとによりネットワークコンピュータシステムを構成し、構成制御サーバによって、構成制御クライアントの稼動するコンピュータに自在に画面サーバや画面クライアントを構成させ、或いはその設定も変更できる画面共有システムを構築する。」と記載されている。
【０００４】
また、特開平１１−２２３６３４号公報（特許文献２）には、「検体を搬送する検体搬送部と、該検体搬送部により搬送される検体を処理する複数の検体処理部とを含む検体処理システムにおいて、検体処理システムの操作情報を入力する操作部と、前記検体搬送部に対する前記検体処理部との組み合わせ関係を識別し得る状態監視画面及び前記検体処理システム全体の情報表示画面を表示し得る表示装置とが備えられていて、操作部を操作して、状態監視画面において検体処理部を選択することにより、その選択された検体処理部に関する情報が情報表示画面において表示されるようになっている。」と記載されている。
【先行技術文献】
【特許文献】
【０００５】
【特許文献１】特開２００９−１２３１７８号公報
【特許文献２】特開平１１−２２３６３４号公報
【発明の概要】
【発明が解決しようとする課題】
【０００６】
従来の検体処理システムにおいては、自動分析装置および検体前処理装置ごとに操作部を有し、各操作部を操作することで対応する装置を制御できる。よって、各装置を制御させるためには、装置を制御する操作部にまで移動して操作する必要があり、検査技師の作業効率を低下させていた。
【０００７】
本発明の目的は、各装置を制御する操作部まで移動して操作するわずらわしさを解消する検体処理システムを提供することである。
【課題を解決するための手段】
【０００８】
本願において開示される発明のうち、代表的なものの概要を簡単に説明すれば、次の通りである。
【０００９】
本発明の一実施の形態は、検体の前処理をする検体前処理装置と、前記検体前処理装置にて前処理がされた前記検体を分析する検体分析装置と、前記検体前処理装置を制御する前処理装置用操作部と、前記検体分析装置を制御する分析装置用操作部と、を有する検体処理システムであって、前記前処理装置用操作部と前記分析装置用操作部とは、相互に通信可能にネットワークを介して接続される。また、前記前処理装置用操作部および前記分析装置用操作部は、前記検体前処理装置を制御するための情報の入力を受け付ける前処理装置用入力部または前記検体分析装置を制御するための情報の入力を受け付ける分析装置用入力部のいずれかの入力部から前記情報の入力を受け付け、入力を受け付けた前記情報を、任意の前処理装置用操作部または分析装置用操作部へ前記ネットワークを介して送信する。
【発明の効果】
【００１０】
本願において開示される発明のうち、代表的なものによって得られる効果を簡単に説明すれば以下のとおりである。
【００１１】
本発明の一実施の形態によれば、各装置を制御する操作部まで移動して操作するわずらわしさを解消できるようになる。
【図面の簡単な説明】
【００１２】
【図１】本発明の一実施の形態における検体処理システムの構成例の概要を示す図である。
【図２】本発明の一実施の形態における検体処理システムの構成例の概要を示す図である。
【図３】図１の検体処理システムにおいて、操作部が有する表示部に表示される応答画面の例を示す図である。
【図４】図１の検体処理システムにおいて、操作部が有する表示部に表示されるアラーム画面の例を示す図である。
【図５】図１の検体処理システムにおいて、操作部が有する表示部に表示される消耗品表示画面の例を示す図である。
【図６】図１の検体処理システムにおいて、操作部が有する表示部に表示される応答画面の画面遷移例を示す図である。
【図７】図１の検体処理システムにおいて、操作部が有する表示部に表示される応答画面の画面遷移例を示す図である。
【図８】図１の検体処理システムにおいて、操作部が有する表示部に表示される応答画面の画面遷移例を示す図である。
【図９】図１の検体処理システムにおいて、操作部が有する表示部に表示される応答画面の画面遷移例を示す図である。
【発明を実施するための形態】
【００１３】
以下、本発明の実施の形態を図面に基づいて詳細に説明する。なお、実施の形態を説明するための全図において、同一部には原則として同一の符号を付し、その繰り返しの説明は省略する。
【００１４】
＜システム構成＞
図１および図２は、本発明の一実施の形態における検体処理システムの構成例の概要を示す。図１において、検体処理システムは例えば、検体前処理装置１０，２０と、検体分析装置である生化学分析装置３０，４０，５０および免疫分析装置６０と、検体前処理装置１０，２０と各検体分析装置とを接続する搬送ライン７０と、前処理装置用操作部１１，２１と、分析装置用操作部３１，４１，５１，６１とを有する。
【００１５】
また、検体前処理装置１０，２０、生化学分析装置３０，４０，５０、免疫分析装置６０、前処理装置用操作部１１，２１、分析装置用操作部３１，４１，５１，６１には、所定のハードウェアおよびソフトウェアが実装される。たとえば、検体前処理装置１０，２０、生化学分析装置３０，４０，５０、免疫分析装置６０、前処理装置用操作部１１，２１、分析装置用操作部３１，４１，５１，６１は、プロセッサやメモリなどを有し、プロセッサによるメモリ上のプログラムの実行により、検体処理システムとして、検体前処理装置１０，２０、生化学分析装置３０，４０，５０、免疫分析装置６０、前処理装置用操作部１１，２１、分析装置用操作部３１，４１，５１，６１のコンピュータを機能させる。
【００１６】
検体前処理装置１０は、投入モジュールと、遠心モジュールと、開栓モジュールと、オンライン分注モジュールと、バーコード添付モジュールと、収納モジュールとを有する。
【００１７】
検体前処理装置２０は、投入モジュールと、遠心モジュールと、開栓モジュールと、オンライン分注モジュールと、バーコード添付モジュールと、閉栓モジュールと、検体分類モジュールと、収納モジュールとを有する。
【００１８】
生化学分析装置３０，４０，５０と免疫分析装置６０とは、検体前処理装置１０，２０で前処理された検体の成分を分析する。
【００１９】
搬送ライン７０は、検体前処理装置１０，２０から生化学分析装置３０，４０，５０や免疫分析装置６０へ検体を搬送する。
【００２０】
前処理装置用操作部１１は検体前処理装置１０の近辺に設けられ、検体前処理装置１０を制御する。前処理装置用操作部２１は、検体前処理装置２０の近辺に設けられ、検体前処理装置２０を制御する。分析装置用操作部３１は、生化学分析装置３０の近辺に設けられ、生化学分析装置３０を制御する。分析装置用操作部４１は、生化学分析装置４０の近辺に設けられ、生化学分析装置４０を制御する。分析装置用操作部５１は、生化学分析装置５０の近辺に設けられ、生化学分析装置５０を制御する。分析装置用操作部６１は、免疫分析装置６０の近辺に設けられ、免疫分析装置６０を制御する。
【００２１】
また、前処理装置用操作部１１，２１および分析装置用操作部３１，４１，５１，６１は、検体前処理装置１０，２０を制御するための情報の入力を受け付ける前処理装置用入力部と生化学分析装置３０，４０，５０、免疫分析装置６０を制御するための情報の入力を受け付ける分析装置用入力部とを有する。
【００２２】
なお、各前処理装置用操作部１１，２１および各分析装置用操作部３１，４１，５１，６１は所定間隔（たとえば、１０メートル）ごとに設けられる。
【００２３】
また、いずれかの装置に異常が発生した場合、前処理装置用操作部１１，２１および分析装置用操作部３１，４１，５１，６１は図示しない出力部から音声を出力する。また、表示部２０８には、異常の発生したことを示す情報が表示される。
【００２４】
前処理装置用操作部１１，２１および分析装置用操作部３１，４１，５１，６１が測定開始の入力を受け付けると、検体前処理装置２０の投入モジュールより投入された検体は、遠心モジュールと開栓モジュールと分注モジュールとにより、検体前処理が行われる。投入モジュールより投入された検体は収納モジュールにより収納され、検体前処理がされた検体は検体ラックに移載され、この検体ラックは、搬送ライン７０に搬送される。
【００２５】
次に、搬送ライン７０は、検体前処理がされた検体が収納された検体ラックをいずれかの生化学分析装置３０，４０，５０に搬送する。この搬送先は、試料の検査項目などに基づいて検体前処理装置２０により決定される。その後、生化学分析装置３０，４０，５０は搬送された検体の分析を行う。
【００２６】
図２において、検体処理システムは、検体前処理装置１０，２０を制御する前処理装置用操作部１１，２１および生化学分析装置３０，４０，５０、免疫分析装置６０を制御する分析装置用操作部３１，４１，５１，６１を有する。そして、これら前処理装置用操作部１１，２１と分析装置用操作部３１，４１，５１，６１とは通信集合中継器８０（たとえば、ＨＵＢなど）を経由して相互に通信可能にネットワークを介して接続されている。これにより前処理装置用操作部１１，２１および分析装置用操作部３１，４１，５１，６１は、各制御対象と通信できることに加え、相互の前処理装置用操作部１１，２１および分析装置用操作部３１，４１，５１，６１間で通信をすることができ、検査室での作業の効率を向上できるようになる。
【００２７】
ここで、生化学分析装置４０，５０においては同一項目の測定を実施するようになっており、生化学分析装置４０，５０へ検体前処理装置２０から検体が交互に搬送される。そして、生化学分析装置５０にて異常が発生した後に、異常の内容を示すアラーム情報を表示する画面に分析装置用操作部５１の表示部２０８の表示を切り替える。このアラーム情報を確認後、検査技師は、生化学分析装置５０の復旧作業を行うが、復旧に時間を要する場合、検査技師は、生化学分析装置５０をオフラインに設定し、その後、生化学分析装置５０への検体の搬送を停止する必要がある。
【００２８】
従来は、分析装置用操作部５１の表示部２０８にてアラーム情報を確認した検査技師は、生化学分析装置５０の分析装置用操作部５１から検体前処理装置２０の前処理装置用操作部２１まで移動し、前処理装置用操作部２１を操作することで、生化学分析装置５０への搬送を中止し生化学分析装置４０のみに検体が搬送されるように検体前処理装置２０の設定を変更していた。そして、検査技師が移動する間も検体前処理装置２０から生化学分析装置５０へ検体が搬送されており、生化学分析装置５０の待機部に検体が滞留していた。その場合、生化学分析装置５０の待機部に滞留した検体は、検査技師が手作業で取り出し、生化学分析装置４０にセットしなければならなかった。
【００２９】
本発明の一実施の形態では、分析装置用操作部５１の表示部２０８が確認され復旧に時間がかかると判断された場合には、分析装置用操作部５１は、生化学分析装置５０を制御するための情報の入力を受け付ける分析装置用入力部から、検体前処理装置２０を制御するための情報の入力を受け付ける前処理装置用入力部へと入力部を切り替える。その後、分析装置用操作部５１が所定の入力を受け付けることで、分析装置用操作部５１は前処理装置用操作部２１へ検体前処理装置２０から生化学分析装置５０への検体の搬送の停止をする要求を、ネットワークを介して送信する。前処理装置用操作部２１は、分析装置用操作部５１からの要求を受信すると、生化学分析装置５０への搬送を停止するように検体前処理装置２０を制御する。その後、分析装置用操作部５１が所定の入力を受け付けることで、分析装置用操作部５１は前処理装置用操作部２１へ検体前処理装置２０から生化学分析装置４０のみに検体を搬送する要求を、ネットワークを介して送信する。前処理装置用操作部２１は、分析装置用操作部５１からの要求を受信すると、生化学分析装置４０のみに検体を搬送するように検体前処理装置２０を制御する。これにより、検査室内の移動に要する時間が省略され生化学分析装置５０に搬送される検体の数も最小限に抑えられ検査技師の手作業等の後戻り作業を抑制できるようになる。これは、少ない人数で検査室のシステム全体を管理できることを意味し、正確な状況確認や指示が可能になる。
【００３０】
また、生化学分析装置５０にて異常が発生した場合、分析装置用操作部５１から異常が発生した旨の情報が前処理装置用操作部１１，２１および分析装置用操作部３１，４１，５１，６１に送信され、前処理装置用操作部１１，２１および分析装置用操作部３１，４１，５１，６１の表示部２０８には、異常が発生したことを示すアラーム情報が表示される。よって、前処理装置用操作部２１の近くに検査技師が存在する場合は、生化学分析装置５０へ移動せずに、検査技師は生化学分析装置５０に異常が発生したことを確認できるようになる。例えば、発生した異常の内容が復旧に時間を要する重篤な異常ではなく、生化学分析装置５０の試薬が無くなったような場合に、分析装置用操作部５１の表示部２０８で確認をしなくても前処理装置用操作部２１の表示部２０８から異常が発生したことを確認できるようになる。
【００３１】
また、処置の必要のない、生化学分析装置３０，４０，５０における再検処理状況の情報や緊急処理検体が遠心中なのか、開栓中なのか、分注処理中なのか、分析測定中なのかの処理状況を前処理装置用操作部１１，２１および分析装置用操作部３１，４１，５１，６１の表示部２０８に表示させることができるようになる。
【００３２】
＜応答画面＞
図３は、図１の検体処理システムにおいて、前処理装置用操作部１１，２１および分析装置用操作部３１，４１，５１，６１が有する表示部２０８に表示される応答画面の例を示す。図１において、前処理装置用操作部１１，２１および分析装置用操作部３１，４１，５１，６１が有する表示部２０８には、分析装置用表示切替ボタン２０１と、アラーム表示ボタン２０２と、消耗品表示ボタン２０３と、スタートボタン２０４と、ストップボタン２０５と、電源ボタン２０６と、処理選択ボタン２０７と、装置画像２０９とが表示される。
【００３３】
装置画像２０９は、現在、制御される対象となっている装置を示す。つまり、図３の応答画面では、装置画像２０９として検体前処理装置２０の画像が表示部２０８に表示されており、現在、制御の対象となっている装置は検体前処理装置２０となる。よって、表示部２０８が表示する各ボタンは、検体前処理装置２０を制御するための情報の入力を受け付ける、前処理装置用入力部として機能する。
【００３４】
電源ボタン２０６が操作を受け付けると、制御の対象となっている装置の電源が立ち上げられる。また、電源が立ち上がった後に電源ボタン２０６が操作を受け付けると、制御の対象となっている装置がシャットダウンされる。図３の応答画面では、電源ボタン２０６が操作を受け付けると検体前処理装置２０の電源が立ち上げられる。また、電源が立ち上がった後に電源ボタン２０６が操作を受け付けると検体前処理装置２０はシャットダウンされる。
【００３５】
スタートボタン２０４が操作を受け付けると、制御の対象となっている装置が行う処理を開始される。その後、ストップボタン２０５が操作を受け付けると、制御の対象となっている装置が行っている処理が停止される。図３の応答画面では、スタートボタン２０４が操作を受け付けると、検体前処理装置２０が行う検体前処理が開始される。その後、ストップボタン２０５が操作を受け付けると、検体前処理装置２０が行っている検体前処理が停止される。
【００３６】
表示切替ボタン２０１が操作を受け付けると、制御の対象が切り替わるとともに、切り替わった後の制御対象の装置の装置画像２０９が表示部２０８に表示される。
【００３７】
アラーム表示ボタン２０２が操作を受け付けると、表示部２０８には、図４に示すアラーム画面が表示される。ここで、図４のアラーム画面において、表示部２０８には、表示切替ボタン２０１と、アラーム表示ボタン２０２と、消耗品表示ボタン２０３と、スタートボタン２０４と、ストップボタン２０５と、電源ボタン２０６と、処理選択ボタン２０７と、アラーム対処情報２１０と、アラーム情報２１１とが表示される。
【００３８】
アラーム情報２１１は、例えば、生化学分析装置３０，４０，５０の試薬が切れたことを示す文章や、検体前処理装置１０，２０のラベルが切れていることを示す文章が該当する。
【００３９】
アラーム対処情報２１０は、警告内容を解消するための措置を文章で表現したものであり、例えば、試薬の交換手順を説明する文章や、ラベルの交換手順など説明する文章が該当する。
【００４０】
表示部２０８にアラーム情報２１１およびアラーム対処情報２１０が表示されることで、ユーザにアラーム警告内容および警告内容に対する対処方法を確認させることができるようになる。また、アラーム情報２１１およびアラーム対処情報２１０を確認させた後、ユーザから表示切替ボタン２０１や処理選択ボタン２０７が操作を受け付けることで、アラーム情報２１１およびアラーム対処情報２１０に応じた対処が可能になる。
【００４１】
消耗品表示ボタン２０３が操作を受け付けると、表示部２０８は、図５に示す消耗品表示画面が表示される。ここで、図５の消耗品表示画面において、表示部２０８は、制御の対象になっている装置の消耗品画像２１２が表示される。この消耗品は、検体前処理装置１０，２０において使用する消耗品であるバーコード添付モジュールのバーコードラベルや、検体前処理装置２０の閉栓モジュールの閉栓キャップや、生化学分析装置３０，４０，５０の試薬の残量や分注チップが該当する。ユーザは消耗品画像２１２を確認することで、装置ごとの補充が必要な消耗品を把握できる。
【００４２】
＜画面遷移例＞
図６〜図９は、図１の検体処理システムにおいて、生化学分析装置５０の近辺に設けられる分析装置用操作部５１から操作を受け付けることで、前処理装置用操作部２１が検体前処理装置２０を制御して試料の搬送先を生化学分析装置５０から生化学分析装置４０へ変更する場合の画面遷移例を示す。
【００４３】
まず、図６の応答画面では、装置画像２０９として、生化学分析装置５０が表示されており、表示部２０８が表示する各ボタンは、生化学分析装置５０を制御するための情報の入力を受け付ける分析装置用入力部として機能する。図６の応答画面のアラーム表示ボタン２０２が操作を受け付けると、図７のアラーム画面に表示が切り替わる。
【００４４】
図７のアラーム画面では、アラーム情報２１１として「試薬が切れています」が表示され、アラーム対処情報２１０として「表示画面を切替後に検体前処理装置を制御して搬送先を別の生化学分析装置へ変更して下さい」が表示される。その後、図７の応答画面の消耗品表示ボタン２０３が操作を受け付けると、図８の消耗品表示画面に表示が切り替わる。
【００４５】
図８の消耗品表示画面では、消耗品画像２１２として、生化学分析装置５０の試薬の残量が表示される。その後、図８の消耗品表示画面の表示切替ボタン２０１が操作を受け付けることで、図９の応答画面に表示が切り替わる。
【００４６】
図９の応答画面では、装置画像２０９として、検体前処理装置２０が表示されており、表示部２０８が表示する各ボタンは、検体前処理装置２０を制御するための情報の入力を受け付ける前処理装置用入力部として機能する。図９の応答画面の処理選択ボタン２０７が、入力を受け付けることで、分析装置用操作部５１は、受け付けた入力に対応する情報を前処理装置用操作部２１へネットワークを介して送信する。その後、前処理装置用操作部２１は、分析装置用操作部５１から受信した情報に基づいて、検体前処理装置２０を制御して試料の搬送先を生化学分析装置５０から生化学分析装置４０へ変更するなどの対処が可能になる。
【００４７】
＜本実施の形態の効果＞
以上説明した本実施の形態における検体処理システムによれば、前処理装置用操作部１１，２１および分析装置用操作部３１，４１，５１，６１が相互に通信可能にネットワークを介して接続され、前処理装置用入力部または分析装置用入力部のいずれかの入力部から入力を受け付けた情報を、任意の前処理装置用操作部１１，２１または分析装置用操作部３１，４１，５１，６１へネットワークを介して送信することで、検査室内の移動に要する時間を省略できるようになる。
【００４８】
また、前処理装置用操作部１１，２１および分析装置用操作部３１，４１，５１，６１に発生した異常の内容を表示することで、異常が発生した装置まで移動する時間を省略できるようになる。
【００４９】
また、前処理装置用操作部１１，２１および分析装置用操作部３１，４１，５１，６１は、検体前処理装置１０，２０において使用する消耗品の消耗の度合いを示す画像を表示することで、消耗した消耗品を有する装置まで移動する時間を省略できるようになる。
【００５０】
また、前処理装置用操作部１１，２１および分析装置用操作部３１，４１，５１，６１に、検体前処理装置１０，２０おける再検処理の状況と検体の処理の状況とを表示できるようになる。
【００５１】
また、前処理装置用操作部１１，２１および分析装置用操作部３１，４１，５１，６１が、任意の装置の処理を開始し、停止する機能を有することで、処理を開始または停止したい装置まで移動する時間を省略できるようになる。
【００５２】
また、前処理装置用操作部１１，２１および分析装置用操作部３１，４１，５１，６１が、任意の装置の電源を立ち上げ、電源をシャットダウンする機能を有することで、電源を立ち上げまたはシャットダウンしたい装置まで移動する時間を省略できるようになる。
【００５３】
また、検体前処理装置１０，２０を制御する複数の前処理装置用操作部１１，２１同士が相互に通信可能にネットワークを介して接続され、検体分析装置である生化学分析装置３０，４０，５０、免疫分析装置６０を制御する複数の分析装置用操作部３１，４１，５１，６１同士が相互に通信可能にネットワークを介して接続されることで、検査室内の操作部間を移動に要する時間を省略できるようになる。
【００５４】
以上、本発明者によってなされた発明を実施の形態に基づき具体的に説明したが、本発明は前記実施の形態に限定されるものではなく、その要旨を逸脱しない範囲で種々変更可能であることはいうまでもない。
【符号の説明】
【００５５】
１０，２０  検体前処理装置
１１，２１  前処理装置用操作部
３０，４０，５０  生化学分析装置
３１，４１，５１，６１  分析装置用操作部
６０    免疫分析装置
７０    搬送ライン
８０    通信集合中継器
２０１  表示切替ボタン
２０２  アラーム表示ボタン
２０３  消耗品表示ボタン
２０４  スタートボタン
２０５  ストップボタン
２０６  電源ボタン
２０７  処理選択ボタン
２０８  表示部
２０９  装置画像
２１０  アラーム対処情報
２１１  アラーム情報
２１２  消耗品画像
【図１】
2014228403.tif 000003
【図２】
2014228403.tif 000004
【図３】
2014228403.tif 000005
【図４】
2014228403.tif 000006
【図５】
2014228403.tif 000007
【図６】
2014228403.tif 000008
【図７】
2014228403.tif 000009
【図８】
2014228403.tif 000010
【図９】
2014228403.tif 000011